(57)【特許請求の範囲】
【請求項１】
端子ブロック分離型電力量計本体の電圧端子及び電流端子と、前記電力量計本体の電気的性能を試験する試験装置の電源部と、を結線するための端子ブロック分離型電力量計用結線器において、
前記電源部の電圧回路に接続され、かつ、電力量計本体を前記結線器にセットした際に前記電圧端子と接触する電圧端子結線部と、
前記電源部の電流回路に接続され、かつ、前記電力量計本体を前記結線器にセットした際に前記電流端子と接離可能に形成された電流端子結線部と、
前記電流端子結線部を移動させてこの電流端子結線部と絶縁性の板状部材との間に前記電流端子を圧接し、前記電流端子結線部と前記電流端子とを接続するための駆動部と、
を備えたことを特徴とする端子ブロック分離型電力量計用結線器。
【請求項２】
請求項１に記載した端子ブロック分離型電力量計用結線器において、
前記電流端子結線部を覆う透明材料からなるカバーを備えたことを特徴とする端子ブロック分離型電力量計用結線器。
【請求項３】
請求項２に記載した端子ブロック分離型電力量計用結線器において、
前記電力量計本体を支持するレール状の支持具を前記カバーの上端部に固定すると共に、前記支持具の長手方向に移動可能な位置決め固定具により前記電力量計本体を位置決めし、固定することを特徴とする端子ブロック分離型電力量計用結線器。
【請求項４】
請求項１〜請求項３のいずれか１項に記載した端子ブロック分離型電力量計用結線器において、
前記電圧端子結線部を、前記電力量計本体から突設された電圧端子に適合して接触するように凹面状に形成したことを特徴とする端子ブロック分離型電力量計用結線器。
【請求項５】
請求項４に記載した端子ブロック分離型電力量計用結線器において、
前記電圧端子結線部の平面形状が長円状であることを特徴とする端子ブロック分離型電力量計用結線器。
【請求項６】
請求項１〜請求項５のいずれか１項に記載した端子ブロック分離型電力量計用結線器において、
前記絶縁性の板状部材の端部に、前記電流端子を導入するためのテーパ加工を施したことを特徴とする端子ブロック分離型電力量計用結線器。
【請求項７】
請求項１〜請求項６のいずれか１項に記載した端子ブロック分離型電力量計用結線器において、
前記電流端子結線部を、前記電流端子よりも幅広に形成したことを特徴とする端子ブロック分離型電力量計用結線器。
【発明の詳細な説明】
【技術分野】
【０００１】
本発明は、端子ブロック分離型電力量計本体の外部端子（電圧端子、電流端子）と前記電力量計本体の電気的性能を試験する試験装置の電源部とを結線するための結線器の構造に関するものである。
【背景技術】
【０００２】
電力量計は、端子ブロックと電力量計本体との関係において、端子ブロック一体型と端子ブロック分離型とに分けることができる。ここで、端子ブロック一体型の電力量計を、結線器を介して試験装置に接続し、電力量計の電気的性能を試験する場合には、例えば特許文献１に記載された結線器が用いられている。
【０００３】
特許文献１に記載された結線器は、電力量計の底面（下面）に配置された円筒状の電流端子に割端子を挿入し、割端子内部の上下する押出しピンを上げ、割端子を開いて前記電流端子に接触させることで、試験装置の電源部から電力量計に電流を通流させている。また、押出しピンの動作に連動させて電圧外部端子を前後させることにより、前記電源部から電力量計に電圧を印加する構造となっている。
【先行技術文献】
【特許文献】
【０００４】
【特許文献１】特開２００８−１８５４０２号公報（段落［００２３］〜［００４３］、図１〜図５等）
【発明の概要】
【発明が解決しようとする課題】
【０００５】
端子ブロック一体型電力量計（以下、単に一体型電力量計ともいう）と端子ブロック分離型電力量計本体（同じく、分離型電力量計本体ともいう）とでは各外部端子の構造や配置が異なるため、特許文献１に記載されているような結線器をそのまま分離型電力量計本体に適用することが難しい。
以下に、分離型電力量計本体における外部端子構造、及び、分離型電力量計本体に結線器を接続する場合の課題について説明する。
【０００６】
まず、図５（ａ）は端子ブロック分離型電力量計５０の概略的な正面図、同（ｂ）は電力量計本体５１の底面図（下面図）であり、５２は端子ブロック５５が接続される端子ブロック接続部、５３ａ〜５３ｄは電流端子、５４ａ〜５４ｃは電圧端子を示している。
また、図６（ａ）は端子ブロック一体型電力量計６０の概略的な正面図、同（ｂ）は底面図（下面図）であり、６１は電力量計本体、６２は電力量計本体６１と一体的に形成された端子ブロック、６３ａ〜６３ｄは電流端子、６４ａ，６４ｂは電圧端子を示している。
【０００７】
図５（ａ），（ｂ）に示すように、分離型電力量計本体５１では、一般に電流端子５３ａ〜５３ｄが平板状に形成されており、図６（ａ），（ｂ）の一体型電力量計６０の電流端子６３ａ〜６３ｄのように円筒状ではないため、割端子を用いた開閉構造を採ることは困難である。
また、分離型電力量計本体５１の電圧端子５４ａ〜５４ｃは、一体型電力量計６０の電圧端子６４ａ，６４ｂのように側面に配置されておらず、電力量計本体５１の底面に配置されている。更に、分離型電力量計本体５１を前面から見ると、電圧端子５４ａ〜５４ｃは電流端子５３ａ〜５３ｄの奥（一部は背後）に配置されているため、電力量計本体５１の前方から電圧端子５４ａ〜５４ｃに結線器を接続することが難しい等の問題がある。
【０００８】
そこで、本発明の解決課題は、簡易な構成により端子ブロック分離型電力量計本体の電圧端子、電流端子と試験装置の電源部とを容易に結線可能とした端子ブロック分離型電力量計用結線器を提供することにある。
【課題を解決するための手段】
【０００９】
上記課題を解決するため、請求項１に係る発明は、端子ブロック分離型電力量計本体の電圧端子及び電流端子と、前記電力量計本体の電気的性能を試験する試験装置の電源部と、を結線するための端子ブロック分離型電力量計用結線器において、
前記電源部の電圧回路に接続され、かつ、電力量計本体を前記結線器にセットした際に前記電圧端子と接触する電圧端子結線部と、
前記電源部の電流回路に接続され、かつ、前記電力量計本体を前記結線器にセットした際に前記電流端子と接離可能に形成された電流端子結線部と、
前記電流端子結線部を移動させてこの電流端子結線部と絶縁性の板状部材との間に前記電流端子を圧接し、前記電流端子結線部と前記電流端子とを接続するための駆動部と、を備えたものである。
【００１０】
請求項２に係る発明は、請求項１において、前記電流端子結線部を覆う透明材料からなるカバーを備えたものである。
【００１１】
請求項３に係る発明は、請求項２において、前記電力量計本体を支持するレール状の支持具を前記カバーの上端部に固定すると共に、前記支持具の長手方向に移動可能な位置決め固定具により前記電力量計本体を位置決めし、固定するものである。
【００１２】
請求項４に係る発明は、請求項１〜請求項３のいずれかにおいて、前記電圧端子結線部を、前記電力量計本体から突設された電圧端子に適合して接触するように凹面状に形成したものである。
【００１３】
請求項５に係る発明は、請求項４において、前記電圧端子結線部の平面形状を長円状に形成したものである。
【００１４】
請求項６に係る発明は、請求項１〜請求項５のいずれか１項において、前記絶縁性の板状部材の端部に、前記電力量計の電流端子を導入するためのテーパ加工を施したものである。
【００１５】
請求項７に係る発明は、請求項１〜請求項６のいずれか１項において、前記電流端子結線部を、前記電力量計本体の電流端子よりも幅広に形成したものである。
【発明の効果】
【００１６】
請求項１に係る発明によれば、端子ブロック分離型電力量計本体を結線器にセットして電力量計本体の電圧端子と結線器の電圧端子結線部とを接触させ、更に、駆動部の動作によって移動する電流端子結線部により板状部材との間で電力量計本体の電流端子を圧接することで、電力量計本体の電流端子と結線器の電流端子結線部とを接触させることができる。
これにより、平板状の電流端子を備え、かつ、電流端子の背後に電圧端子が配置されているような端子構造の端子ブロック分離型電力量計本体に対し、簡単な構成によって電流端子及び電圧端子との接続を行うことができ、本発明に係る結線器を介して試験装置の電源部と端子ブロック分離型電力量計本体とを確実に接続することができる。
【００１７】
請求項２に係る発明によれば、電流端子結線部等の結線状態をカバーの外部から確認することができ、しかも、使用者が電流端子結線部等に接触して感電する心配もない。
また、請求項３に係る発明によれば、位置決め固定具をレール状の支持具の長手方向に移動させて電力量計本体の固定位置を調整可能であるため、メーカーや定格、端子部の形状、寸法等が異なる各種の端子ブロック分離型電力量計本体にも対応可能な結線器を得ることができる。
更に、電力量計本体をセットする際に、電力量計本体及び電流端子と結線器側の電流端子結線部との間に支持具が介在する位置関係としたので、電力量計本体または電流端子によって電流端子結線部を損傷するおそれもない。
【００１８】
請求項４または請求項５に係る発明によれば、電力量計本体の電圧端子と結線器の電圧端子結線部とを広い接触面積にて接触させ、また、電力量計本体の電圧端子の形状、寸法等が若干異なる場合でも、これらの電圧端子に対し長円状の電圧端子結線部によって適合させることができる。
【００１９】
請求項６または請求項７に係る発明によれば、電力量計本体の電流端子の導入が容易になり、また、幅が若干異なる電流端子であっても電流端子結線部に確実に接触させることができる。  
【図面の簡単な説明】
【００２０】
【図１】本発明の実施形態に係る結線器の正面図である。
【図２】本発明の実施形態に係る結線器の平面図である。
【図３】本発明の実施形態に係る結線器の側面断面図（非結線時）である。
【図４】本発明の実施形態に係る結線器の側面断面図（結線時）である。
【図５】端子ブロック分離型電力量計の概略的な正面図（図５（ａ））及び電力量計本体の底面図（図５（ｂ））である。
【図６】端子ブロック一体型電力量計の概略的な正面図（図６（ａ））及び底面図（図６（ｂ））である。
【発明を実施するための形態】
【００２１】
以下、図に沿って本発明の実施形態を説明する。
図１は、本実施形態に係る端子ブロック分離型電力量計用結線器の正面図であり、図２は平面図（上面図）、図３，図４は側面断面図である。なお、図３は非結線時、図４は結線時の状態を示している。
【００２２】
まず、図１〜図４に示す端子ブロック分離型電力量計用結線器１０は、図５に示したように、底面に電流端子５３ａ〜５３ｄ及び電圧端子５４ａ〜５４ｃを備えた端子ブロック分離型電力量計本体５１と試験装置（図示せず）の電源側とを結線するためのものである。
【００２３】
図１、図２において、結線器１０は、固定プレート１と、固定プレート１の前面に取り付けられた透明材料からなるカバー２とを備えている。
固定プレート１は、図示されていない試験装置に固定されていると共に、端子ブロック分離型電力量計５０の電力量計本体５１を固定するための板状部材であり、電力量計本体５１を固定プレート１に斜め掛けした場合にもその重量を支えられるような強度を有している。なお、図３、図４に示すごとく、電力量計本体５１は固定プレート１の前面に配置される。
【００２４】
カバー２は、結線器１０の使用者が後述する電流端子結線部８ａ〜８ｄに接触しないように電流端子結線部８ａ〜８ｄを外部から覆うものである。カバー２を透明材料にて形成することにより、結線状態の確認が容易になる。
カバー２の上部には切り欠きが設けられており、この切り欠きにはレール状の支持具３が固定されている。この支持具３は、その上に載置される電力量計本体５１を支持するものであり、支持具３の長手方向に移動して任意の位置に固定可能な位置決め固定具４ａ，４ｂのストッパーを締めることで、電力量計本体５１を所望の位置に位置決めする。これにより、電力量計本体５１の電圧端子、電流端子が配置された端子部の形状や寸法が異なる場合でも、同一の結線器１０により適用可能としている。
【００２５】
電流端子７ａ〜７ｄは、試験装置の電源側（電流回路）に接続されていると共に、支持具３の下方において可動ブロック７に一体的に固定されている。電流端子７ａ〜７ｄの上端部は固定プレート１側に延設され、電流端子結線部８ａ〜８ｄを構成している。後述するが、可動ブロック７は、図２〜図４の矢印ａ方向（図１の紙面に対して直交する方向）に移動可能である。
図２に示すように、電流端子結線部８ａ〜８ｄと固定プレート１との間には、試験装置の電源側（電圧回路）と接続された電圧端子結線部５ａ〜５ｃが配置されている。
【００２６】
更に、図３に示すように、固定プレート１の前面にはシリンダ６が固定され、その可動部６ｍには前記可動ブロック７が固定されている。ここで、シリンダ６及び可動部６ｍは、請求項における駆動部を構成している。
上記シリンダ６及び可動部６ｍの動作によって可動ブロック７が矢印ａ方向に移動し、電流端子７ａ〜７ｄひいては電流端子結線部８ａ〜８ｄがこれに連動する。
【００２７】
図２及び図３において、５は電圧端子結線部５ａ〜５ｃが配置された電圧端子ブロックであり、その前面には絶縁性の仕切り板９が配置されている。電圧端子結線部５ａ〜５ｃは、電力量計本体５１の底面に突設された電圧端子５４ａ〜５４ｃに線接触または面接触するように凹面状に形成され、電圧端子結線部５ａ〜５ｃと電圧端子５４ａ〜５４ｃとが広い面積で確実に接触するように考慮されている。更に、図２に示すごとく、電圧端子結線部５ａ〜５ｃの平面形状を長円状に形成することで、電力量計本体５１の定格やメーカーに応じた電圧端子５４ａ〜５４ｃの配置や寸法の相違に対応可能である。
【００２８】
次に、この実施形態の動作を図３、図４を参照しつつ説明する。
図３に示すように、電力量計５０の電力量計本体５１を支持部３の上面に載置し、電力量計本体５１側の電圧端子５４ａ〜５４ｃが結線器１０側の電圧端子結線部５ａ〜５ｃに合致するように、位置決め固定具４ａ，４ｂを用いて電力量計本体５１を位置決めしつつ結線器１０に固定する。このとき、電力量計本体５１の底面から突設された電流端子５３ａ〜５３ｄは仕切り板９の前面に配置されると共に、間隙を介して、結線器１０側の電流端子結線部８ａ〜８ｄの背後に位置しており、電流端子５３ａ〜５３ｄと電流端子結線部８ａ〜８ｄとは非結線状態である。なお、仕切り板９の上端部にテーパ加工を施すことにより、電流端子５３ａ〜５３ｄを円滑に導入することができる。
【００２９】
この状態でシリンダ６を駆動すると、可動部６ｍが矢印ａ方向に移動する。これによって可動ブロック７及び電流端子結線部８ａ〜８ｄが同じ方向に移動し、図４に示すごとく電流端子５３ａ〜５３ｄを仕切り板９との間に挟み込んで圧接する。これにより、電力量計本体５１の電流端子５３ａ〜５３ｄと結線器１０の電流端子結線部８ａ〜８ｄとを確実に接触させることができる。
特に、電流端子５３ａ〜５３ｄの端面と電流端子結線部８ａ〜８ｄの表面とを面接触させることにより、接触面積を大きくし、確実な電気的接続状態を得ることができる。従って、試験装置と電力量計本体５１との間で、本実施形態に係る結線器１０を介して電圧の印加及び電流の通流を容易かつ確実に行うことが可能である。
【００３０】
なお、本発明は、電力量計本体の底面から平板状の電流端子が突設され、その奥に電圧端子が配置されているような外部端子構造を持つ端子ブロック分離型電力量計本体であれば、上述した電力量計５０に限らず適用可能である。
【符号の説明】
【００３１】
１：固定プレート
２：カバー
３：支持具
４ａ，４ｂ：位置決め固定具
５：電圧端子ブロック
５ａ〜５ｃ：電圧端子結線部
６：シリンダ
６ｍ：可動部
７：可動ブロック
７ａ〜７ｄ：電流端子
８ａ〜８ｄ：電流端子結線部
９：仕切り板
１０：結線器
５０：端子ブロック分離型電力量計
５１：電力量計本体
５２：端子ブロック接続部
５３ａ〜５３ｄ：電流端子
５４ａ〜５４ｃ：電圧端子
５５：端子ブロック
６０：端子ブロック一体型電力量計
６１：電力量計本体
６２：端子ブロック
６３ａ〜６３ｄ：電流端子
６４ａ，６４ｂ：電圧端子
【図１】
0005403757.tif 000002
【図２】
0005403757.tif 000003
【図３】
0005403757.tif 000004
【図４】
0005403757.tif 000005
【図５】
0005403757.tif 000006
【図６】
0005403757.tif 000007